(57)【要約】【課題】煩雑な作業を要することなく、面材収容溝部から２つのフレーム要素の間を通過するように貫通口が形成される事態を防止する。【解決手段】見付け方向に沿った支持ヒレ部１５Ａｃを有する外方フレーム要素１５Ａと、押縁装着部１５Ｂｄを有する内方フレーム要素１５Ｂとを互いに非接触の状態で見込み方向に沿って並設し、かつこれら２つのフレーム要素１５Ａ，１５Ｂの間を断熱材１５Ｃで連結することにより構成した方立枠１５を備え、外方フレーム要素１５Ａの支持ヒレ部１５Ａｃと、押縁装着部１５Ｂｄを介して内方フレーム要素１５Ｂに装着した押縁１６との間にガラスパネル３０の周縁部を収容するための面材収容溝部１５Ｅを構成する建具において、押縁１６には、面材収容溝部１５Ｅにおいて断熱材１５Ｃに対向する部分に、加熱された場合に膨張する熱膨張性部材４０を配設した。【選択図】図３
2017101481.tif 000002
【特許請求の範囲】
【請求項１】
見付け方向に沿った支持ヒレ部を有する第１のフレーム要素と、押縁装着部を有する第２のフレーム要素とを互いに非接触の状態で見込み方向に沿って並設し、かつこれら２つのフレーム要素の間を断熱材で連結することにより構成した枠部材を備え、
前記第１のフレーム要素の支持ヒレ部と、前記押縁装着部を介して前記第２のフレーム要素に装着した押縁との間に面材の周縁部を収容するための面材収容溝部を構成する建具において、
前記押縁には、前記面材収容溝部において前記断熱材に対向する部分に、加熱された場合に膨張する熱膨張性部材を配設したことを特徴とする建具。
【請求項２】
前記面材収容溝部において前記第１のフレーム要素に対向する位置まで前記押縁に延長部分を形成し、前記延長部分に前記熱膨張性部材を配設したことを特徴とする請求項１に記載の建具。
【請求項３】
前記延長部分は、前記第１のフレーム要素に対して非接触となるように前記押縁に設けたことを特徴とする請求項２に記載の建具。
【請求項４】
前記第２のフレーム要素が室内側となるように配置したことを特徴とする請求項１に記載の建具。
【請求項５】
前記押縁は、前記延長部分に沿って延在する押縁基部と、前記押縁基部から突出し、前記押縁装着部に係合する係合片部と、前記押縁基部から屈曲して延在し、前記支持ヒレ部に対向して配置されるとともに、延在端部に押縁タイト材を保持した押縁ヒレ部とを有したことを特徴とする請求項２に記載の建具。
【請求項６】
前記枠部材は、枠体の上枠及び下枠の間に上下方向に沿って配設した方立枠であることを特徴とする請求項１に記載の建具。
【発明の詳細な説明】
【技術分野】
【０００１】
本発明は、建具に関するもので、特に、第１のフレーム要素と第２のフレーム要素との間を断熱材によって連結した枠部材を備える建具に関するものである。
【背景技術】
【０００２】
建具に適用される枠部材には、２つの金属製フレーム要素を非接触の状態で見込み方向に沿って並設し、かつ互いの間を断熱材で連結することによって構成されたものが提供されている。それぞれのフレーム要素には、互いに対向するように支持ヒレ部が設けられており、これら支持ヒレ部の間にガラス等の面材の周縁部を収容するための面材収容溝部が構成されている（例えば、特許文献１参照）。この種の枠部材を備える建具によれば、２つのフレーム要素の間に介在した断熱材によって室内外の熱伝達が抑制されることになり、例えば枠部材の室内側部分に結露が生じない等の利点がある。
【０００３】
ところで、昨今の建具には、火災発生時等において加熱された場合にも火炎の貫通口が生じないように防火対策を施すものも提供されている。上述のように、２つのフレーム要素の間を断熱材によって連結した枠部材においては、加熱された場合、断熱材が先に溶融するため、面材収容溝部から２つのフレーム要素の間を通過するように貫通口が形成されるおそれがある。
【０００４】
２つのフレーム要素の相互間を断熱材によって連結した枠部材には、特許文献２に記載されたように、面材の端面に対向する部位に膨張黒鉛等の熱膨張性部材を保持させるようにしたものも提供されている。この枠部材を備える建具によれば、加熱された場合に熱膨張性部材が膨張して枠部材と面材との間に充填されるため、断熱材が溶融したとしても、フレーム要素の相互間が火炎の貫通口となる事態を防止することができるようになる。
【先行技術文献】
【特許文献】
【０００５】
【特許文献１】特開２００１−２０６１５号公報（図２、図３）
【特許文献２】特開２０１４−３４８６１号公報
【発明の概要】
【発明が解決しようとする課題】
【０００６】
しかしながら、それぞれのフレーム要素に支持ヒレ部を設けて面材収容溝部を構成した枠部材にあっては、その内底面となる部分に熱膨張性部材を保持させる場合に支持ヒレ部が邪魔となり、その作業がきわめて煩雑となる。しかも、熱膨張性部材が保持された後にあっては、保持状態を確認することも困難であり、剥がれ等の不具合に起因して熱膨張性部材が不用意に脱落するおそれもある。
【０００７】
本発明は、上記実情に鑑みて、煩雑な作業を要することなく、面材収容溝部から２つのフレーム要素の間を通過するように貫通口が形成される事態を防止することのできる建具を提供することを目的とする。
【課題を解決するための手段】
【０００８】
上記目的を達成するため、本発明に係る建具は、見付け方向に沿った支持ヒレ部を有する第１のフレーム要素と、押縁装着部を有する第２のフレーム要素とを互いに非接触の状態で見込み方向に沿って並設し、かつこれら２つのフレーム要素の間を断熱材で連結することにより構成した枠部材を備え、前記第１のフレーム要素の支持ヒレ部と、前記押縁装着部を介して前記第２のフレーム要素に装着した押縁との間に面材の周縁部を収容するための面材収容溝部を構成する建具において、前記押縁には、前記面材収容溝部において前記断熱材に対向する部分に、加熱されると膨張する熱膨張性部材を配設したことを特徴とする。
【０００９】
この発明によれば、第１のフレーム要素の支持ヒレ部と、第２のフレーム要素に装着した押縁との間に面材収容溝部を構成し、かつ押縁に熱膨張性部材を配設するようにしているため、熱膨張性部材を保持させる際に支持ヒレ部が邪魔になることがなく、その作業を容易に行うことができるとともに、その後の保持状態も容易に確認することができる。従って、熱膨張性部材が不用意に脱落するおそれがなくなり、面材収容溝部から２つのフレーム要素の間を通過するように貫通口が形成される事態を防止することが可能となる。
【００１０】
また本発明は、上述した建具において、前記面材収容溝部において前記第１のフレーム要素に対向する位置まで前記押縁に延長部分を形成し、前記延長部分に前記熱膨張性部材を配設したことを特徴とする。
【００１１】
この発明によれば、押縁の延長部分によって断熱材が覆われることになるため、火炎が直接断熱材に到達する事態を防止することができるようになる。
【００１２】
また本発明は、上述した建具において、前記延長部分は、前記第１のフレーム要素に対して非接触となるように前記押縁に設けたことを特徴とする。
【００１３】
この発明によれば、押縁によって２つのフレーム要素の間の断熱性が損なわれることがない。
【００１４】
また本発明は、上述した建具において、前記第２のフレーム要素が室内側となるように配置したことを特徴とする。
【００１５】
この発明によれば、押縁が室内側に配置されることになり、室外側から押縁が取り外されるおそれがない。
【００１６】
また本発明は、上述した建具において、前記押縁は、前記延長部分に沿って延在する押縁基部と、前記押縁基部から突出し、前記押縁装着部に係合する係合片部と、前記押縁基部から屈曲して延在し、前記支持ヒレ部に対向して配置されるとともに、延在端部に押縁タイト材を保持した押縁ヒレ部とを有したことを特徴とする。
【００１７】
この発明によれば、押縁装着部に係合する係合片部と、熱膨張性部材が配設される延長部分とが押縁基部から独立して延在するものであるため、熱膨張性部材が膨張した場合に押縁が押縁装着部から脱落する事態を防止することができる。
【００１８】
また本発明は、上述した建具において、前記枠部材は、枠体の上枠及び下枠の間に上下方向に沿って配設した方立枠であることを特徴とする。
【００１９】
この発明によれば、上枠や縦枠に比べて火災発生時に、より加熱され易い方立枠についても火炎の貫通口が形成される事態を防止することができる。
【発明の効果】
【００２０】
本発明によれば、第１のフレーム要素の支持ヒレ部と、第２のフレーム要素に装着した押縁との間に面材収容溝部を構成し、かつ押縁に熱膨張性部材を配設するようにしているため、熱膨張性部材を保持させる際に支持ヒレ部が邪魔になることがなく、その作業を容易に行うことができるとともに、その後の保持状態も容易に確認することができる。従って、熱膨張性部材が不用意に脱落するおそれがなくなり、面材収容溝部から２つのフレーム要素の間を通過するように貫通口が形成される事態を防止することが可能となる。
【図面の簡単な説明】
【００２１】
【図１】図１は、本発明の実施の形態である建具を室外側から見た図である。
【図２】図２は、図１に示した建具を室内側から見た図である。
【図３】図３は、図１に示した建具の要部横断面図である。
【図４】図４は、図１に示した建具の要部分解横断面図である。建具の要部横断面図である。
【発明を実施するための形態】
【００２２】
以下、添付図面を参照しながら本発明に係る建具の好適な実施の形態について詳細に説明する。
【００２３】
図１及び図２は、本発明の実施の形態である建具を示したものである。ここで例示する建具は、家屋の玄関に用いられる開きドアであり、枠体１０を備えている。枠体１０は、上枠１１、下枠１２及び左右の縦枠１３，１４を四周枠組みすることによって構成した矩形状の外枠部１０Ａと、上枠１１及び下枠１２の間に上下方向に沿って配設した方立枠（枠部材）１５とを備えたものである。本実施の形態では、図１及び図２からも明らかなように、上枠１１及び下枠１２の長手を二等分する中心線からずれた位置に方立枠１５を配置するようにしている。具体的には、室外側から見た場合に左側に配置される左縦枠１３に近接するように方立枠１５が設けてあり、外枠部１０Ａの開口を主開口１０Ａａと副開口１０Ａｂとに二分している。
【００２４】
主開口１０Ａａは、室外側から見た場合に右側に配置される右縦枠１４と方立枠１５との間に構成される幅の大きな開口である。この主開口１０Ａａには、右縦枠１４が吊り元で方立枠１５が戸先となり、室外側に向けて開くようにドアパネル２０が開閉可能に配設してある。ドアパネル２０は、図には明示していないが、表裏両面板の間にフォーム材等からなる断熱面材を配設することによって構成した、断熱ドアと称されるものである。副開口１０Ａｂは、左縦枠１３と方立枠１５との間に構成される幅の小さな開口である。この副開口１０Ａｂには、ガラスパネル（面材）３０を配設することによってＦＩＸ窓が構成してある。ガラスパネル３０は、図３に示すように、スペーサ部材３１を介して２枚のガラス３２，３３を接合して構成した複層ガラスと称されるものである。
【００２５】
図３及び図４に示すように、建具の方立枠１５は、２つのフレーム要素１５Ａ，１５Ｂを見込み方向に沿って並設し、かつ互いの間の２カ所をそれぞれ断熱材１５Ｃで連結することにより構成したものである。ここで、見込み方向とは、図３中の矢印Ａで示すように、建具の奥行きに沿った方向のことである。見込み方向に沿った平面については、見込み面と称する場合がある。また、後述する見付け方向とは、上枠１１及び下枠１２の場合、見込み方向に直交した上下に沿う方向であり、縦枠１３，１４の場合、見込み方向に直交した水平に沿う方向である。枠部材の長手方向とは、それぞれのフレーム要素を押し出し成形する場合の押し出し方向に一致する。方立枠１５の場合には、図１中の矢印Ｂで示すように、上下方向に沿った方向が長手方向となる。
【００２６】
室外側に配置される第１のフレーム要素（以下、外方フレーム要素１５Ａという）は、アルミニウム合金等の金属材料によって成形した押し出し形材であり、長手方向の全長にわたってほぼ一様な断面を有するように構成してある。この外方フレーム要素１５Ａは、外方フレーム基部１５Ａａ、左右の外方断熱材収容部１５Ａｂ及び支持ヒレ部１５Ａｃを有して構成してある。
【００２７】
外方フレーム基部１５Ａａは、見付け方向に沿った２つの見付け壁１５Ａａ１，１５Ａａ２と、見込み方向に沿った２つの見込み壁１５Ａａ３，１５Ａａ４とを有した矩形断面の筒状を成すものである。
【００２８】
左右の外方断熱材収容部１５Ａｂは、外方フレーム基部１５Ａａにおいて室内側に位置する見付け壁１５Ａａ２の外表面に設けた凹溝状の部分である。個々の外方断熱材収容部１５Ａｂは、それぞれが室内側に向けて開口するもので、見付け壁１５Ａａ２の両側縁部において外方フレーム基部１５Ａａの長手方向に沿って延在している。
【００２９】
支持ヒレ部１５Ａｃは、外方フレーム基部１５Ａａにおいて副開口１０Ａｂに臨む見込み面から見付け方向に沿って突出した薄板状部分であり、室内側に臨む面の突出端部に窓用タイト材ＡＴ１を保持している。窓用タイト材ＡＴ１は、支持ヒレ部１５Ａｃとガラスパネル３０との間に介在する弾性部材であり、ガラスパネル３０の表面に密着するように成形してある。
【００３０】
室内側に配置される第２のフレーム要素（以下、内方フレーム要素１５Ｂという）は、外方フレーム要素１５Ａと同様、長手方向の全長にわたってほぼ一様な断面を有するように、アルミニウム合金等の金属材料によって成形した押し出し形材である。この内方フレーム要素１５Ｂは、内方フレーム基部１５Ｂａ、左右の内方断熱材収容部１５Ｂｂ、戸当りヒレ部１５Ｂｃ及び押縁装着部１５Ｂｄを有して構成してある。
【００３１】
内方フレーム基部１５Ｂａは、外方フレーム基部１５Ａａと同じ見付け寸法を有した内方見付け壁１５Ｂａ１と、内方見付け壁１５Ｂａ１の両端部からそれぞれ室内側に向けて平行に延在した左右の内方見込み壁１５Ｂａ２，１５Ｂａ３とを有したものである。内方フレーム基部１５Ｂａにおいて左右の内方見込み壁１５Ｂａ２，１５Ｂａ３の間には、室内側の開口を覆う蓋部材１５Ｄが着脱可能に装着してある。
【００３２】
左右の内方断熱材収容部１５Ｂｂは、内方フレーム基部１５Ｂａの内方見付け壁１５Ｂａ１において外方フレーム要素１５Ａの外方断熱材収容部１５Ａｂに対向する部位に設けた凹溝状の部分である。個々の内方断熱材収容部１５Ｂｂは、それぞれが室外側に向けて開口するもので、内方フレーム基部１５Ｂａの長手方向に沿って延在している。
【００３３】
戸当りヒレ部１５Ｂｃは、内方フレーム基部１５Ｂａにおいて主開口１０Ａａに臨む見込み面から見付け方向に沿って突出したもので、室外側に臨む面の突出端部にドア用タイト材ＡＴ２を保持している。ドア用タイト材ＡＴ２は、ドアパネル２０が閉じられた場合にドアパネル２０の室内側に臨む表面に接触し、ドアパネル２０と方立枠１５との間の気密性を確保するためのもので、弾性部材によって成形してある。
【００３４】
押縁装着部１５Ｂｄは、内方フレーム基部１５Ｂａにおいて副開口１０Ａｂに臨む見込み面に設けたもので、押縁係合片１５Ｂｄ１及び押縁支持片１５Ｂｄ２を有している。押縁係合片１５Ｂｄ１は、内方フレーム基部１５Ｂａの副開口１０Ａｂに臨む見込み面において室外側に位置する縁部から見付け方向に沿って突出した薄板状部分である。押縁係合片１５Ｂｄ１の突出端部には、係合受部１５Ｂｄ１ａが設けてある。係合受部１５Ｂｄ１ａは、室内側に向けてほぼ直角に屈曲した後、屈曲端部から副開口１０Ａｂの内方に向けて漸次室外側に傾斜するように延在した部分である。押縁支持片１５Ｂｄ２は、内方フレーム基部１５Ｂａの副開口１０Ａｂに臨む見込み面において押縁係合片１５Ｂｄ１よりも室内側となる部位から見付け方向に沿って突出した薄板状部分である。押縁支持片１５Ｂｄ２の突出端部は、押縁係合片１５Ｂｄ１よりも突出した位置において室外側に向けて直角に屈曲することにより、見込み方向に沿った押縁支持面１５Ｂｄ２ａを構成している。
【００３５】
これら外方フレーム要素１５Ａ及び内方フレーム要素１５Ｂの間を連結する断熱材１５Ｃは、アルミニウム合金よりも熱伝導率の小さい樹脂からなるものである。個々の断熱材１５Ｃは、２つのフレーム要素１５Ａ，１５Ｂが互いに非接触の状態を維持するように相互間の全長にわたる部位に介在している。断熱材１５Ｃとしては、予め成形したものを適用しても良いし、可塑性を有した液状のものをそれぞれの断熱材収容部１５Ａｂ，１５Ｂｂに注入して構成しても良い。
【００３６】
上記のように構成した方立枠１５を備える枠体１０の副開口１０Ａｂにガラスパネル３０を配設するには、まず、窓用タイト材ＡＴ１を介して外方フレーム要素１５Ａの支持ヒレ部１５Ａｃにガラスパネル３０の一方の表面を当接させる。この状態から内方フレーム要素１５Ｂの押縁装着部１５Ｂｄに押縁１６を装着することにより、支持ヒレ部１５Ａｃと押縁１６との間に構成される面材収容溝部１５Ｅにおいてガラスパネル３０の周縁部を挟持させれば良い。押縁１６は、フレーム要素１５Ａ，１５Ｂと同様、アルミニウム合金等の金属材料によって成形した押し出し形材である。本実施の形態では、平板状を成す押縁基部１６ａと、押縁基部１６ａから延在した押縁ヒレ部１６ｂ、係合片部１６ｃ及び延長カバー部（延長部分）１６ｄとを有し、方立枠１５と同じ長手寸法を有する押縁１６を適用している。
【００３７】
押縁基部１６ａは、一方の表面１６ａ１を介して押縁支持片１５Ｂｄ２の押縁支持面１５Ｂｄ２ａに当接されるものである。この押縁基部１６ａは、押縁支持面１５Ｂｄ２ａに当接した場合に押縁係合片１５Ｂｄ１及び押縁支持片１５Ｂｄ２を覆うことのできる見込み寸法を有している。
【００３８】
押縁ヒレ部１６ｂは、押縁基部１６ａの一側縁部から他方の表面１６ａ２側に直角に屈曲した平板状部分である。押縁ヒレ部１６ｂの屈曲端部には、押縁タイト材ＡＴ３が接着してある。押縁タイト材ＡＴ３は、押縁ヒレ部１６ｂとガラスパネル３０との間に介在する弾性部材であり、ガラスパネル３０の表面に密着するように成形してある。
【００３９】
係合片部１６ｃは、押縁基部１６ａの一方の表面１６ａ１から突出した平板状部分である。図からも明らかなように、係合片部１６ｃは、押縁基部１６ａから突出するに従って漸次押縁基部１６ａの他側縁部に近接する方向に向かうように傾斜延在している。係合片部１６ｃの延在端部には、押縁基部１６ａの他側縁部に近接する方向に向けて鉤状に屈曲した係合部１６ｅが設けてある。押縁基部１６ａの一側縁部から係合片部１６ｃの突出位置までの間には、押縁支持片１５Ｂｄ２に設けた押縁支持面１５Ｂｄ２ａの見込み寸法と同じ幅を有するように当接面１６ａ１′が確保してある。
【００４０】
延長カバー部１６ｄは、段部１６ｆを介して押縁基部１６ａの他側縁部に設けた平板状部分である。段部１６ｆは、押縁基部１６ａの他側縁部から一方の表面１６ａ１側に鈍角状に屈曲した平板状を成すものである。段部１６ｆの屈曲寸法は、押縁基部１６ａから突出した係合片部１６ｃのほぼ１／２である。延長カバー部１６ｄは、段部１６ｆの屈曲端部から押縁基部１６ａと平行となるように、係合片部１６ｃから離隔する方向に向けて延在している。延長カバー部１６ｄの段部１６ｆからの延在幅は、外方フレーム要素１５Ａと内方フレーム要素１５Ｂとの間に設けた断熱材１５Ｃの見込み寸法よりも大きく、かつ押縁装着部１５Ｂｄから支持ヒレ部１５Ａｃまでの距離よりも小さい寸法となるように設定してある。延長カバー部１６ｄにおいて一方の表面１６ｄ１となる部位には、熱膨張性部材４０が貼り付けてある。熱膨張性部材４０は、加熱された場合に膨張する不燃性または難燃性の部材であり、例えば熱膨張性黒鉛含有の発泡材である。本実施の形態では、シート状に成形した熱膨張性部材４０が延長カバー部１６ｄの長手方向に沿った全長にわたって配設してある。
【００４１】
上記の構成を有する押縁１６は、まず、係合片部１６ｃを内方フレーム要素１５Ｂの押縁係合片１５Ｂｄ１と押縁支持片１５Ｂｄ２との間に挿入する。その後、押縁基部１６ａの当接面１６ａ１′を押縁支持面１５Ｂｄ２ａに当接させれば、押縁１６は、係合片部１６ｃの係合部１６ｅが押縁係合片１５Ｂｄ１の係合受部１５Ｂｄ１ａに係合した状態となる。このとき、押縁１６の押縁ヒレ部１６ｂは、外方フレーム要素１５Ａの支持ヒレ部１５Ａｃに対向した状態に配置され、支持ヒレ部１５Ａｃとの間に面材収容溝部１５Ｅを構成し、かつ押縁タイト材ＡＴ３がガラスパネル３０の表面に密着した状態で当接する。このため、押縁タイト材ＡＴ３の反発力により押縁基部１６ａの当接面１６ａ１′が押縁支持面１５Ｂｄ２ａに当接した状態に維持され、ガラスパネル３０が外方フレーム要素１５Ａの支持ヒレ部１５Ａｃと押縁１６の押縁ヒレ部１６ｂとの間に挟持された状態になる。
【００４２】
ここで、上記のようにして枠体１０の副開口１０Ａｂにガラスパネル３０を配設した建具では、押縁１６の延長カバー部１６ｄが外方フレーム要素１５Ａと内方フレーム要素１５Ｂとの間において断熱材１５Ｃを設けた部分を覆った状態となり、かつ断熱材１５Ｃに対向する部位に熱膨張性部材４０が対向して配置されることになる。しかも、押縁１６の各要素１６ａ，１６ｂ，１６ｃ，１６ｄ，１６ｅ，１６ｆは、外方フレーム要素１５Ａに対して非接触の状態となる。従って、建具を通常の状態で使用している場合には、外方フレーム要素１５Ａと内方フレーム要素１５Ｂとの間の熱伝達が抑制され、例えば内方フレーム要素１５Ｂや蓋部材１５Ｄに結露が生じない等の利点がある。
【００４３】
一方、室外で火災が発生した場合にも、面材収容溝部１５Ｅにおいては押縁１６の延長カバー部１６ｄによって断熱材１５Ｃが覆われているため、窓用タイト材ＡＴ１が溶融し、その隙間から火炎が進入したとしても、この火炎が直接断熱材１５Ｃに到達することがない。さらに、延長カバー部１６ｄが加熱された場合には、これに設けた熱膨張性部材４０が膨張し、膨張した熱膨張性部材４０によって面材収容溝部１５Ｅが充填されることになる。従って、火災発生時においても断熱材１５Ｃが溶融する事態を防止することができ、２つのフレーム要素１５Ａ，１５Ｂの間が火炎の貫通口となるおそれはなく、延焼を防止することができる。
【００４４】
しかも、この建具によれば、加熱された場合に面材収容溝部１５Ｅにおいて膨張する熱膨張性部材４０を押縁１６の延長カバー部１６ｄに設けるようにしているため、熱膨張性部材４０を保持させる際に支持ヒレ部１５Ａｃが邪魔になることがなく、その作業を容易に行うことができるとともに、熱膨張性部材４０の保持状態も容易に確認することができる。従って、熱膨張性部材４０が不用意に脱落するおそれがなくなり、面材収容溝部１５Ｅから２つのフレーム要素１５Ａ，１５Ｂの間を通過するように貫通口が形成される事態をより防止することが可能となる。
【００４５】
なお、上述した実施の形態では、枠体１０の方立枠１５についてのみ説明したが、上枠１１や左右の縦枠１３，１４に同様の構成を適用しても構わない。また、無目枠を備える建具であれば、無目枠に適用することも可能である。さらに、支持ヒレ部１５Ａｃと押縁１６との間に挟持する面材は必ずしもガラスパネル３０である必要はなく、その他の面材を挟持するものにも適用することが可能である。
【００４６】
また、上述した実施の形態では、押縁装着部１５Ｂｄを有した内方フレーム要素１５Ｂが室内側となるように枠部材を構成しているため、室外側から押縁１６が取り外されるおそれがないが、本発明は、内方フレーム要素が室外側となるように枠部材を構成しても良い。
【００４７】
さらに、上述した実施の形態では、延長カバー部１６ｄに沿って延在する押縁基部１６ａから係合片部１６ｃが独立して突出するように押縁１６を構成しているため、熱膨張性部材４０が膨張した場合に押縁１６が押縁装着部１５Ｂｄから脱落する事態を防止することができるが、押縁の構成は実施のものに限らない。
【符号の説明】
【００４８】
１０  枠体、１１  上枠、１２  下枠、１５  方立枠、１５Ａ  外方フレーム要素、１５Ａｂ  断熱材収容部、１５Ａｃ  支持ヒレ部、１５Ｂ  内方フレーム要素、１５Ｂｂ  内方断熱材収容部、１５Ｂｄ  押縁装着部、１５Ｃ  断熱材、１５Ｅ  面材収容溝部、１６  押縁、１６ａ  押縁基部、１６ｂ  押縁ヒレ部、１６ｃ  係合片部、１６ｄ  延長カバー部、３０  ガラスパネル、４０  熱膨張性部材
【図１】
2017101481.tif 000003
【図２】
2017101481.tif 000004
【図３】
2017101481.tif 000005
【図４】
2017101481.tif 000006